(57)【要約】【課題】本発明は照明制御システムおよび端末器に関し、信頼性を保ちつつ製造コストを抑制できる照明制御システムおよび端末器を得ることを目的とする。【解決手段】本発明に係る照明制御システムは、伝送信号を送信する照明コントローラと、端末器と、を備え、該端末器は、電源の第１端と、負荷の一方の端子と、の接続状態を変更する第１リレーと、該電源の第２端と、該負荷の他方の端子と、の接続状態を変更し、該第１リレーよりも定格負荷が小さい第２リレーと、該伝送信号に応じて該第１リレーと該第２リレーを制御する制御部と、を備え、該制御部は、該第２リレーにより該第２端と該負荷の該他方の端子とを接続した後に、該第１リレーにより該第１端と該負荷の該一方の端子とを接続し、該第１リレーにより該第１端と該負荷の該一方の端子とを遮断した後に、該第２リレーにより該第２端と該負荷の該他方の端子とを遮断する。【選択図】図１
2019207812.tif 000002
【特許請求の範囲】
【請求項１】
伝送信号を送信する照明コントローラと、
端末器と、
を備え、
前記端末器は、
電源の第１端と、負荷の一方の端子と、の接続状態を変更する第１リレーと、
前記電源の第２端と、前記負荷の他方の端子と、の接続状態を変更し、前記第１リレーよりも定格負荷が小さい第２リレーと、
前記伝送信号に応じて前記第１リレーと前記第２リレーを制御する制御部と、
を備え、
前記制御部は、前記第２リレーにより前記第２端と前記負荷の前記他方の端子とを接続した後に、前記第１リレーにより前記第１端と前記負荷の前記一方の端子とを接続し、前記第１リレーにより前記第１端と前記負荷の前記一方の端子とを遮断した後に、前記第２リレーにより前記第２端と前記負荷の前記他方の端子とを遮断することを特徴とする照明制御システム。
【請求項２】
前記電源は交流電源であり、
前記第２リレーにより前記第２端と前記負荷の前記他方の端子とを接続してから、前記第１リレーにより前記第１端と前記負荷の前記一方の端子とを接続するまでの時間は、前記交流電源の周期の１／２以上であることを特徴とする請求項１に記載の照明制御システム。
【請求項３】
前記電源は交流電源であり、
前記第１リレーにより前記第１端と前記負荷の前記一方の端子とを遮断してから、前記第２リレーにより前記第２端と前記負荷の前記他方の端子とを遮断するまでの時間は、前記交流電源の周期の１／２以上であることを特徴とする請求項１または２に記載の照明制御システム。
【請求項４】
前記端末器は、
前記照明コントローラから電力の供給を受け、前記第１リレーと前記第２リレーを駆動させる電力を生成する通信給電回路と、
前記電源から電力の供給を受け、前記第１リレーと前記第２リレーを駆動させる電力を生成する定電圧回路と、
前記電源から電力が供給されると、前記第１リレーと前記第２リレーに駆動電力を供給する回路を前記通信給電回路から前記定電圧回路に切り替える切り替え回路と、
を備えることを特徴とする請求項１から３の何れか１項に記載の照明制御システム。
【請求項５】
前記端末器は、前記切り替え回路と、前記第１リレーおよび前記第２リレーと、の間にレギュレータ回路を備えることを特徴とする請求項４に記載の照明制御システム。
【請求項６】
前記第１リレーと前記第２リレーはラッチングリレーであり、
前記制御部は、前記第１リレーを駆動させる信号の出力を終えた後に、前記第２リレーを駆動させる信号を出力することを特徴とする請求項１から５の何れか１項に記載の照明制御システム。
【請求項７】
負荷の一方の端子に電力を供給する第１端子と、
電源の第１端から電力の供給を受ける第２端子と、
前記負荷の他方の端子に電力を供給する第３端子と、
前記電源の第２端から電力の供給を受ける第４端子と、
前記第１端子と前記第２端子との接続状態を変更する第１リレーと、
前記第３端子と前記第４端子との接続状態を変更し、前記第１リレーよりも定格負荷が小さい第２リレーと、
外部からの伝送信号に応じて前記第１リレーと前記第２リレーを制御する制御部と、
を備え、
前記制御部は、前記第２リレーにより前記第３端子と前記第４端子とを接続した後に、前記第１端子と前記第２端子とを接続し、前記第１リレーにより前記第１端子と前記第２端子とを遮断した後に、前記第２リレーにより前記第３端子と前記第４端子とを遮断することを特徴とする端末器。
【発明の詳細な説明】
【技術分野】
【０００１】
本発明は、照明制御システムおよび端末器に関する。
【背景技術】
【０００２】
特許文献１には、商用交流電源と照明器具とを接続する開閉部を備えた照明システムが開示されている。この照明システムでは、開閉部を閉じることで照明器具を点灯状態とし、開閉部を開くことで照明器具を消灯状態とする。また、開閉部は２つのリレーを備える。
【先行技術文献】
【特許文献】
【０００３】
【特許文献１】特許第４２７３２８２号公報
【発明の概要】
【発明が解決しようとする課題】
【０００４】
特許文献１に示されるようなリレー開閉器は、機械的にスイッチの切り離しを行うことによって、給電状態と遮断状態とを切り替える。このため、切り替え時にリレー接点間でアーク放電が発生するおそれがあった。アーク放電により、リレー接点が磨耗する可能性がある。また、リレー開閉器が過熱状態となる可能性がある。これにより、端末器の寿命が短くなる可能性がある。特に、リレー開閉器を連続動作させた場合に、リレー開閉器が過熱状態となり易くなる。
【０００５】
この対策として、アーク放電による磨耗が生じ難いリレー接点を用いたリレー開閉器を使用することが考えられる。しかし、このようなリレー開閉器は一般に高価である。
【０００６】
本発明は、上述の課題を解決するためになされたもので、信頼性を保ちつつ製造コストを抑制できる照明制御システムおよび端末器を得ることを目的とする。
【課題を解決するための手段】
【０００７】
本発明に係る照明制御システムは、伝送信号を送信する照明コントローラと、端末器と、を備え、該端末器は、電源の第１端と、負荷の一方の端子と、の接続状態を変更する第１リレーと、該電源の第２端と、該負荷の他方の端子と、の接続状態を変更し、該第１リレーよりも定格負荷が小さい第２リレーと、該伝送信号に応じて該第１リレーと該第２リレーを制御する制御部と、を備え、該制御部は、該第２リレーにより該第２端と該負荷の該他方の端子とを接続した後に、該第１リレーにより該第１端と該負荷の該一方の端子とを接続し、該第１リレーにより該第１端と該負荷の該一方の端子とを遮断した後に、該第２リレーにより該第２端と該負荷の該他方の端子とを遮断する。
【０００８】
本発明に係る端末器は、電源の第１端から電力の供給を受ける第１端子と、負荷の一方の端子に電力を供給する第２端子と、該電源の第２端から電力の供給を受ける第３端子と、該負荷の他方の端子に電力を供給する第４端子と、該第１端子と該第２端子との接続状態を変更する第１リレーと、該第３端子と該第４端子との接続状態を変更し、該第１リレーよりも定格負荷が小さい第２リレーと、外部からの伝送信号に応じて該第１リレーと該第２リレーを制御する制御部と、を備え、該制御部は、該第２リレーにより該第３端子と該第４端子とを接続した後に、該第１端子と該第２端子とを接続し、該第１リレーにより該第１端子と該第２端子とを遮断した後に、該第２リレーにより該第３端子と該第４端子とを遮断する。
【発明の効果】
【０００９】
本発明に係る照明制御システムおよび端末器では、第１リレーの耐圧負荷が第２リレーの耐圧負荷よりも大きい。このため、第１リレーと第２リレーの耐圧負荷を共に大きくする場合よりも、製造コストを低減できる。さらに、耐圧負荷が小さい第２リレーでアーク放電が発生しないように、第１リレーと第２リレーが開閉するタイミングをずらす。従って、信頼性を維持できる。
【図面の簡単な説明】
【００１０】
【図１】実施の形態１に係る照明制御システムのブロック構成図である。
【図２】実施の形態１に係る端末器の斜視図である。
【図３】実施の形態１に係る端末器の平面図である。
【図４】実施の形態１に係る照明制御システムの構成を説明する図である。
【図５】実施の形態２に係る端末器の平面図、正面図および側面図である。
【図６】実施の形態２に係る照明制御システムの構成を説明する図である。
【図７】実施の形態２に係る切り替え回路の回路図である。
【図８】実施の形態２の第１の変形例に係る照明制御システムの構成を説明する図である。
【図９】実施の形態２の第２の変形例に係る端末器のセットコイル印加電圧を示すタイミングチャートである。
【発明を実施するための形態】
【００１１】
本発明の実施の形態に係る照明制御システムおよび端末器について図面を参照して説明する。同じ又は対応する構成要素には同じ符号を付し、説明の繰り返しを省略する場合がある。
【００１２】
実施の形態１．
図１は、実施の形態１に係る照明制御システム８０の回路ブロック図である。照明制御システム８０は管理装置８１と、制御装置である照明コントローラ８２と、複数台のリレー端末器８３と、複数台のリレー８４とを備える。管理装置８１は、例えばマイクロコンピュータ等から成り、照明制御システム８０全体の状態監視および設定を行う。
【００１３】
照明コントローラ８２は、通信線８を介してリレー端末器８３、図示しない壁スイッチおよび各種センサ等と通信を行う。照明コントローラ８２が発信および受信する伝送信号には、アドレスデータおよび制御データが含まれる。
【００１４】
管理装置８１と照明コントローラ８２は、有線または無線の通信網であるＬＡＮ（Ｌｏｃａｌ  Ａｒｅａ  Ｎｅｔｗｏｒｋ）７で接続されている。照明コントローラ８２には、通信線８を介して４台のリレー端末器８３が並列に接続されている。また、通信線８には照度センサ、人感センサ等の各種センサと、壁スイッチ等の操作盤が接続される。各リレー端末器８３には、４台のリレー８４が制御信号線９で接続されている。
【００１５】
リレー端末器８３と４台のリレー８４は端末器１００を構成する。端末器１００は、制御システム用端末器であり、リレー内蔵端末器とも呼ばれる。本実施の形態では、照明コントローラ８２に４台の端末器１００が接続されている。照明制御システム８０に設けられる端末器１００の数は１台以上であれば良い。また、リレー端末器８３と接続されるリレー８４は１台以上であれば良い。
【００１６】
各々のリレー端末器８３には、固有のアドレスが割り当てられ、設定されている。リレー端末器８３は設定されたアドレスにより識別される。リレー端末器８３は、通信線８を介して照明コントローラ８２が発信する伝送信号を受信する受信部８３１を有する。また、リレー端末器８３は、伝送信号のアドレスデータを、リレー端末器８３に設定された固有アドレスと比較する比較部８３２を有する。比較部８３２が、伝送信号のアドレスデータとリレー端末器８３に設定された固有アドレスとが一致したと判断した場合、リレー端末器８３は伝送信号の制御データを実行するためにリレー８４に制御信号を送信する。
【００１７】
各々のリレー８４には、図示しない照明器具等の負荷が接続される。リレー８４は、リレー端末器８３からの信号を受信し、リレー８４に接続される負荷に供給される電力を制御データに基づいて断続させる。
【００１８】
図２は、実施の形態１に係る端末器１００の上方斜視図である。図３は、実施の形態１に係る端末器１００の平面図である。端末器１００は上ケース７１と下ケース７２を備える。上ケース７１と下ケース７２は、基板を収納するケースである。基板は、例えば、制御基板と主基板を含む。制御基板は、伝送信号が入力される低電圧基板である。制御基板はリレー端末器８３の機能を有する。また、主基板は、複数のリレー８４の機能を有する。
【００１９】
上ケース７１は、通信線８および負荷を接続するための端子金具７５ａ、７５ｂを保持する。本実施の形態では、端末器１００は端子金具７５ａを４個備える。また、端末器１００は、端子金具７５ｂを８個備える。端子金具７５ａは、上ケース７１の長手方向の一方の端部に並べて配置される。また、端子金具７５ｂは、上ケース７１の長手方向の他方の端部に並べて配置される。
【００２０】
端子金具７５ａはリレー端末器８３の入力端子に相当する。受信部８３１は、照明コントローラ８２からの伝送信号を、端子金具７５ａを介して受信する。端子金具７５ｂは、リレー８４の出力端子に相当する。端子金具７５ｂには、外部電源と照明器具等の負荷が直列に接続される。端子金具７５ｂには高電圧が印加される。安全性を確保するため、端末器１００の端子金具７５ｂの上面は、保護カバー７６で覆われる。
【００２１】
上ケース７１は、上面の長手方向の中央に上面部７３を備える。上面部７３には、図示しない名板が貼付される。上ケース７１において、上面部７３と端子金具７５ａに挟まれる箇所に凹部が形成される。凹部には操作面７４が設けられる。
【００２２】
操作面７４からは、アドレス設定部７７のスイッチ操作部が突出する。アドレス設定部７７はディップスイッチである。制御基板に設けられたアドレス設定部７７を設定することにより、リレー端末器８３に固有アドレスを設定できる。
【００２３】
図４は、実施の形態１に係る照明制御システム８０の構成を説明する図である。端末器１００は、通信線８と接続される端子を２個備える。また、端末器１００は、負荷側の端子３１〜３８を８個備える。端末器１００は、両切りの回路を２つ備えている。端末器１００は、負荷１２の出力と負荷１４の出力とを独立に制御できる。負荷１２、１４は例えば照明器具である。端末器１００は、照明器具のオンオフの点灯制御を行う。
【００２４】
次に、端末器１００への配線方法を説明する。通信線８用の端子には、渡り配線で通信線８を接続する。また、負荷側の端子３１に負荷１２の一方の端子を接続し、端子３３に負荷１２の他方の端子を接続する。端子３１は負荷１２の一方の端子に電力を供給する第１端子である。また、端子３３は負荷１２の他方の端子に電力を供給する第３端子である。同様に、負荷側の端子３５に負荷１４の一方の端子を接続し、端子３７に負荷１４の他方の端子を接続する。
【００２５】
また、端子３２及び端子３６には、負荷用電源１０の第１端１０ａを接続し、端子３４及び端子３８には、負荷用電源１０の第２端１０ｂを接続する。負荷用電源１０は、例えば１００〜２５０Ｖの交流電源である。端子３２は、負荷用電源１０の第１端１０ａから電力の供給を受ける第２端子である。また、端子３４は、負荷用電源１０の第２端１０ｂから電力の供給を受ける第４端子である。
【００２６】
端末器１００の端子３１と端子３２間には、第１リレー２１が設けられる。端子３３と端子３４間には、第２リレー２２が設けられる。端子３５と端子３６間には、第３リレー２３が設けられる。端子３７と端子３８間には、第４リレー２４が設けられる。第１リレー２１と第２リレー２２は連動して開閉する。同様に、第３リレー２３と第４リレー２４は連動して開閉する。第１リレー２１〜第４リレー２４は、図１におけるリレー８４に該当する。
【００２７】
第１リレー２１〜第４リレー２４は機械式リレーである。第１リレー２１〜第４リレー２４は、負荷１２、１４側に設けられた接点と、接点を開閉するためのコイルを備える。コイルが通電されると、接点が閉じる。コイルへの通電が遮断されると、接点が開く。ここで、接点が開閉する際にアーク放電が生じ、接点の表面が荒れる場合がある。極端な場合、接点に損傷を与える可能性がある。
【００２８】
第１リレー２１は、端子３１と端子３２との接続状態を変更する。つまり第１リレー２１は、負荷用電源１０の第１端１０ａと、負荷１２の一方の端子との接続状態を変更する。第２リレー２２は、端子３３と端子３４との接続状態を変更する。つまり第２リレー２２は、負荷用電源１０の第２端１０ｂと、負荷１２の他方の端子との接続状態を変更する。第２リレー２２は、第１リレー２１よりも定格負荷が小さい。
【００２９】
同様に、第３リレー２３は、負荷用電源１０の第１端１０ａと、負荷１４の一方の端子との接続状態を変更する。第４リレー２４は、負荷用電源１０の第２端１０ｂと、負荷１４の他方の端子との接続状態を変更する。第４リレー２４は、第３リレー２３よりも定格負荷が小さい。
【００３０】
ここで、定格負荷に限らず、第１リレー２１及び第３リレー２３は、第２リレー２２及び第４リレー２４よりも定格電流が大きいものとしても良い。
【００３１】
本実施の形態のリレー端末器８３は、伝送信号に応じて第１リレー２１〜第４リレー２４を制御する制御部に該当する。次に、リレー端末器８３が第１リレー２１〜第４リレー２４を開閉する動作について説明する。ここでは、負荷１２が接続された回路を回路１と呼ぶ。また、負荷１４が接続された回路を回路２と呼ぶ。
【００３２】
第１リレー２１と第２リレー２２とが開いた状態において、回路１を閉じる伝送信号を端末器１００が受信したとする。リレー端末器８３は、先ず第２リレー２２のコイルへ通電を行い、第２リレー２２を閉じる。このとき、第１リレー２１が開いているため、第２リレー２２が閉じても回路１に電流は流れない。次に、リレー端末器８３は、第２リレーの閉動作の開始から少なくともＴ１だけ遅れて、第１リレー２１を閉じる。第１リレー２１が閉じる際に第１リレー２１の接点間にアーク放電が生じる。
【００３３】
次に、回路１を開く伝送信号を端末器１００が受信したとする。リレー端末器８３は、先ず第１リレー２１のコイルへの通電を遮断し、第１リレー２１を開く。第１リレー２１が開く際に第１リレー２１の接点間にアーク放電が生じる。次に、リレー端末器８３は、第１リレー２１の開動作の開始から少なくともＴ１だけ遅れて、第２リレー２２を開く。このとき、既に第１リレー２１が開いているため、第２リレー２２が開いても回路１に電流は流れない。
【００３４】
つまり、リレー端末器８３は、第２リレー２２により第２端１０ｂと負荷１２の他方の端子とを接続した後に、第１リレー２１により第１端１０ａと負荷１２の一方の端子とを接続する。また、リレー端末器８３は、第１リレー２１により第１端１０ａと負荷１２の一方の端子とを遮断した後に、第２リレー２２により第２端１０ｂと負荷１２の他方の端子とを遮断する。
【００３５】
回路２を開閉する伝送信号を端末器１００が受信した場合の動作は、第１リレー２１が第３リレー２３に、第２リレー２２が第４リレー２４に、負荷１２が負荷１４に置き換わる他は、回路１と同様である。
【００３６】
このように端末器１００を構成することにより、定格電流が大きい第１リレー２１及び第３リレー２３にアーク放電による電流が多く流れ、定格電流が小さい第２リレー２２及び第４リレー２４ではアーク放電による電流を抑制できる。この結果、第２リレー２２および第４リレー２４の接点において、表面の荒れを抑制できる。
【００３７】
本実施の形態では、第１リレー２１及び第３リレー２３として、第２リレー２２及び第４リレー２４よりも定格電流が大きいリレーを選定している。つまり、リレー開閉器の２つのリレーのうち一方のみに、高価なアーク放電対策が施されたリレーを用いる。従って、第１リレー２１〜第４リレー２４の耐圧負荷を全て大きくする場合よりも、リレーの原価を低減でき、製造コストを低減できる。
【００３８】
ここで、一般にリレー接点の開閉速度または応答速度は、アーク放電対策が施されていないリレーもアーク放電対策が施されたリレーもほぼ同じである。また、リレー接点の動作は機械的な動作であるため、リレーの開閉速度にはばらつきが生じる場合がある。このため、２つのリレーに対して同時に開閉の指示を行った場合に、どちらのリレーが先に開閉するかの特定は一般に難しい。
【００３９】
これに対し本実施の形態では、リレー端末器８３は、耐圧負荷が大きい第１リレー２１でアーク放電が発生し、第２リレー２２でアーク放電が発生しないように、第１リレー２１と第２リレー２２が開閉するタイミングをずらす。同様に、リレー端末器８３は、耐圧負荷が大きい第３リレー２３でアーク放電が発生し、第４リレー２４でアーク放電が発生しないように、第３リレー２３と第４リレー２４が開閉するタイミングをずらす。従って、信頼性を維持できる。
【００４０】
遅れ時間Ｔ１は、例えば以下のようにして設定する。第１リレー２１〜第４リレー２４には交流が流れる。このため、リレー接点の開閉動作に伴い発生するアーク放電は、負荷電圧がゼロ近傍となると消滅する。交流電源が５０Ｈｚの場合は１０ｍｓ毎に、６０Ｈｚの場合は約８．３ｍｓ毎に、負荷電圧はゼロとなる。この交流電源のゼロクロス周期の半分を目安にＴ１を決めればよい。即ちＴ１は５０Ｈｚの場合は５ｍｓ、６０Ｈｚの場合は約４．２ｍｓとなる。
【００４１】
つまり、本実施の形態では、第２リレー２２により第２端１０ｂと負荷１２の他方の端子とを接続してから、第１リレー２１により第１端１０ａと負荷１２の一方の端子とを接続するまでの時間は、交流電源の周期の１／２以上である。また、第１リレー２１により第１端１０ａと負荷１２の一方の端子とを遮断してから、第２リレー２２により第２端１０ｂと負荷１２の他方の端子とを遮断するまでの時間は、交流電源の周期の１／２以上である。回路２についても同様である。
【００４２】
なお、第１リレー２１及び第３リレー２３の接点開閉の動作時間が、第２リレー２２及び第４リレー２４の接点開閉の動作時間よりも長い場合は、開閉時間の差を考慮してＴ１時間を決めてもよい。この場合、Ｔ１を第１リレー２１及び第３リレー２３の接点が開閉する時間以上に設定する必要がある。
【００４３】
本実施の形態ではリレー端末器８３とリレー８４は、端末器１００として一体化されている。これに限らず、リレー端末器８３とリレー８４は別個に設けられても良い。また、負荷用電源１０は交流電源に限らず直流電源でも良い。
【００４４】
これらの変形は以下の実施の形態に係る照明制御システムおよび端末器について適宜応用することができる。なお、以下の実施の形態に係る照明制御システムおよび端末器については実施の形態１との共通点が多いので、実施の形態１との相違点を中心に説明する。
【００４５】
実施の形態２．
図５は、実施の形態２に係る端末器２００の平面図、正面図および側面図である。実施の形態１で説明した端末器１００に代えて、ＡＣ電源端子台を備えた端末器２００を用いてもよい。端末器２００は、外部から供給される商用電源を接続する電源端子台２４０、他の機器に商用電源を送るための電源端子台２４２、照明器具等の負荷を接続する負荷用端子台２４４を備える。本実施の形態の端末器２００は、負荷用端子台２４４を４個備える。
【００４６】
図６は、実施の形態２に係る照明制御システム２８０の構成を説明する図である。照明制御システム２８０は、照明コントローラ８２と、端末器２００と、負荷である複数の照明器具２１２を備える。端末器２００はリレー２２１〜２２８を備える。リレー２２１〜２２８はラッチングリレーである。ラッチングリレーは、セットコイルへの電圧印加で接点が閉じる。ラッチングリレーは、セットコイルへの電圧印加が無くなっても接点の閉状態を保持する。また、セットコイルへの逆方向への電圧印加、つまりリセットコイルへの電圧印加により接点が開く。
【００４７】
端末器２００は、通信給電回路２５０、切り替え回路２５２、定電圧回路２５４、ＤＣ／ＤＣ回路２５６およびマイコン２５８を備える。通信給電回路２５０は、照明コントローラ８２から通信線８を介して電力の供給を受け、リレー２２１〜２２８を駆動させる電力を生成する。定電圧回路２５４は、負荷用電源１０から電力の供給を受け、リレー２２１〜２２８を駆動させる電力を生成する。定電圧回路２５４はＡＣ／ＤＣ変換回路であり、安定してＤＣ電圧を供給する。切り替え回路２５２は、負荷用電源１０から電力が供給されると、リレー２２１〜２２８に駆動電力を供給する回路を通信給電回路２５０から定電圧回路２５４に切り替える。
【００４８】
ＤＣ／ＤＣ回路２５６は、切り替え回路２５２から供給された電圧を降圧し、マイコン２５８の動作電圧を生成する。マイコン２５８は、実施の形態１で説明した受信部８３１および比較部８３２の機能を有する。また、マイコン２５８は実施の形態１で説明したように、リレー２２１〜２２８が開閉するタイミングを制御する。
【００４９】
ここで、端末器２００のリレー２２１〜２２８を駆動する電源が通信線８から供給される場合を考える。通信給電回路２５０は、通信線８から電力の供給を受け、リレー２２１〜２２８を駆動させる。このとき、通信線８の配線が短いほど、また、通信線８に接続される機器が少ないほど、通信線８の端末器２００側の電圧は高くなる。通信線８に接続される機器が少ない場合、通信線８の電圧は例えば±２４Ｖに近くなる。また、通信線８の配線が長いほど、また、通信線８に接続される機器が多いほど、通信線８の端末器２００側の電圧は低くなり、例えば±１４Ｖに近くなる。
【００５０】
通信線８の電圧が高くなると、リレー２２１〜２２８を駆動する消費電流が大きくなる。リレー２２１〜２２８を駆動する電流が大きくなると、通信線８に接続されている照明コントローラ８２が過電流を検知する可能性がある。これにより、例えば照明コントローラ８２が通信線８の出力を入り切りする等の誤動作が生じるおそれがある。
【００５１】
ここで、切り替え回路２５２は、ＡＣ電源である負荷用電源１０が供給されると、リレー２２１〜２２８への駆動電力の供給源を、定電圧回路２５４に切り替える。定電圧回路２５４から安定した直流電圧が供給されることで、照明制御システム２８０の誤動作の発生を抑制できる。また、照明制御システム２８０の消費電流を抑制できる。
【００５２】
図７は、実施の形態２に係る切り替え回路２５２の回路図である。切り替え回路２５２は、スイッチング素子であるＭＯＳ−ＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）Ｑ２１８、Ｑ２２０、Ｑ２２２を備える。ＭＯＳ−ＦＥＴ２１８は通信線８とリレー２２１〜２２８の間に設けられる。
【００５３】
切り替え回路２５２に定電圧回路２５４からの直流電力１０−１が供給されると、ＭＯＳ−ＦＥＴＱ２２０、Ｑ２２２を介してＭＯＳ−ＦＥＴＱ２１８がＯＦＦする。これにより、通信線８からリレー２２１〜２２８への通信給電回路２５０からの電源供給が遮断される。図７の構成は、切り替え回路２５２の一例であり、別の構成を採用しても良い。
【００５４】
図８は、実施の形態２の第１の変形例に係る照明制御システム３８０の構成を説明する図である。照明制御システム３８０は、端末器３００を備える。端末器３００は、切り替え回路２５２とリレー２２１〜２２８の間にレギュレータ回路３６０を備える。レギュレータ回路３６０は、通信給電回路２５０から供給されるリレー駆動電源の電圧をリレー動作が可能なＤＣ電圧に降圧する。これにより、通信給電回路２５０から供給される電圧が高くなっても、リレー２２１〜２２８の消費電力を抑制できる。
【００５５】
図９は、実施の形態２の第２の変形例に係る端末器２００のセットコイル印加電圧を示すタイミングチャートである。リレー駆動時は、選定するリレーにもよるが、例えばリレー１個当たり約２５ｍＡの電流が流れる。リレー２２１〜２２８を一斉に動作させた場合、通信線８にリレー台数分のリレー駆動電流が流れる。このとき、照明コントローラ８２が過電流を検知する可能性がある。これにより、例えば照明コントローラ８２が通信線８の出力を入り切りする等の誤動作が生じるおそれがある。
【００５６】
第２の変形例においてマイコン２５８は、図９に示されるように、２つ以上のリレーが同時にＯＮしないようにリレー２２１〜２２８の駆動タイミングをずらす。つまり、マイコン２５８は、リレー２２１を駆動させる信号の出力を終えた後に、リレー２２２を駆動させる信号を出力する。これにより、端末器２００のリレー駆動電流をリレー１個分、つまり約２５ｍＡ程度に抑制できる。
【００５７】
なお、各実施の形態で説明した技術的特徴は適宜に組み合わせて用いてもよい。
【符号の説明】
【００５８】
８０、２８０、３８０  照明制御システム、１００、２００、３００  端末器、１０  負荷用電源、１０−１  直流電力、１０ａ  第１端、１０ｂ  第２端、１２、１４  負荷、２１  第１リレー、２２  第２リレー、２３  第３リレー、２４  第４リレー、８１  管理装置、８２  照明コントローラ、８３  リレー端末器、８４  リレー、２２１〜２２８  リレー、２１２  照明器具、２５０  通信給電回路、２５２  切り替え回路、２５４  定電圧回路、２５８  マイコン、３６０  レギュレータ回路
【図１】
2019207812.tif 000003
【図２】
2019207812.tif 000004
【図３】
2019207812.tif 000005
【図４】
2019207812.tif 000006
【図５】
2019207812.tif 000007
【図６】
2019207812.tif 000008
【図７】
2019207812.tif 000009
【図８】
2019207812.tif 000010
【図９】
2019207812.tif 000011